(57)【要約】【課題】保護カバーを、転写ヘッドを覆う状態の前進位置と、転写ヘッドを露出させる状態の後退位置に確実に保持し、字消し作業の効率の低下を防止し得る塗膜転写具を提供する。【解決手段】ケース本体１の前端開口から転写ヘッド２３を突出させるとともに、ケース本体１内に供給リール２と巻取リール３を設け、前記供給リール２に巻回した転写テープ３４を、前記転写ヘッド２３を経て前記巻取リール３に巻き取るようにした塗膜転写具において、前記ケース本体１の前端部に転写ヘッド２３を覆うことができる保護カバー６を、この保護カバー６が転写ヘッド２３を覆う状態の前進位置と、転写ヘッド２３を露出させる状態の後退位置との間で摺動自在となるように設け、かつこの保護カバー６をばねによって前記前進位置方向に付勢するとともに、前記後退位置で保護カバー６をケース本体１に係止する係止手段４０および係止解除手段１８を備える塗膜転写具とする。【選択図】        図２
2004268322.tif 000002
【特許請求の範囲】
【請求項１】
ケース本体の前端開口から転写ヘッドを突出させるとともに、ケース本体内に供給リールと巻取リールを設け、前記供給リールに巻回した転写テープを、前記転写ヘッドを経て前記巻取リールに巻き取るようにした塗膜転写具において、前記ケース本体の前端部に転写ヘッドを覆うことができる保護カバーを、この保護カバーが転写ヘッドを覆う状態の前進位置と、転写ヘッドを露出させる状態の後退位置との間で摺動自在となるように設け、かつこの保護カバーをばねによって前記前進位置方向に付勢するとともに、前記後退位置で保護カバーをケース本体に係止する係止手段および係止解除手段を備えることを特徴とする塗膜転写具。
【請求項２】
前記保護カバーを前記ケース本体の前端開口から内部に挿嵌させ、前記ばねとして、圧縮コイルばねを使用し、この圧縮コイルばねを、保護カバーの周壁外面とケース本体の周壁内面との間に介装させたことを特徴とする請求項１に記載の塗膜転写具。
【請求項３】
前記係止手段を、前記保護カバーに形成した爪と、前記ケース本体の周壁内面に形成した段部とによって構成し、前記爪を前記段部に係合させることによって保護カバーをケース本体に係止させたことを特徴とする請求項１又は２に記載の塗膜転写具。
【請求項４】
前記係止解除手段を、前記ケース本体の周壁にコ字状の切り込みを入れて形成し、この切り込みによって画成される押し込み片で、係止状態にある保護カバーの爪をケース本体の内方へ押し込んで、前記段部から離反させるようにしたことを特徴とする請求項３に記載の塗膜転写具。
【請求項５】
前記保護カバーの周壁外面に摘み部を形成し、この摘み部を摘んで、保護カバーをケース本体内に後退させるようにしたことを特徴とする請求項１〜請求項４のいずれかに記載の塗膜転写具。
【請求項６】
前記摘み部を、前記保護カバーの周面に形成した環状突起によって構成したことを特徴とする請求項５に記載の塗膜転写具。
【発明の詳細な説明】
【０００１】
【発明の属する技術分野】
本発明は、塗膜転写具に関し、詳しくは、不使用時において転写テープを保護する保護カバーを設けた塗膜転写具に関する。
【０００２】
【従来の技術】
ケース本体の前端部に転写ヘッドを覆う保護カバーを、この保護カバーが転写ヘッドを覆う状態の前進位置と、転写ヘッドを露出させる状態の後退位置との間で摺動自在に設けた塗膜転写具は公知である（例えば、特許文献１および特許文献２）。
【０００３】
これらの塗膜転写具は、使用時には、保護カバーをケース本体内に後退させて、転写テープを転写ヘッドとともに露出させることにより使用可能とし、他方不使用時においては、保護カバーを前進させて転写ヘッドを覆い、これによって転写テープを保護するとともに、誤って他の箇所に塗膜が転写されるのを防止している。
【０００４】
【特許文献１】
特開平８−２６７９９２号報（図１，図２参照）
【特許文献２】
特開平１０−１１９４８８号公報（図１参照）
【０００５】
【発明が解決しようとする課題】
しかし、上記従来の塗膜転写具では、保護カバーがケース本体に単に摺動自在に設けられているため、これらの摺動面が磨耗したりして摩擦抵抗が低下した場合には、使用時における転写作業中に保護カバーが自重ないし慣性力により前方に突出する虞がある。このような場合には、転写ヘッドが保護カバーによって隠れてしまい、消そうとする文字等の視認ができなくなって作業性が悪くなる。
【０００６】
本発明は、従来の技術の有する上記の問題点に鑑み、保護カバーが転写ヘッドを覆う状態の前進位置と、転写ヘッドを露出させる状態の後退位置に、保護カバーを確実に保持し、それによって保護カバーによる字消し作業の妨げを確実に防止するとともに、不使用時においては、転写テープを保護し、誤って他の箇所に塗膜が付着することを確実に防止し得るようにした塗膜転写具を提供することを目的とする。
【０００７】
また、併せて好ましい実施形態として、保護カバーを、転写ヘッドを露出させる状態から、転写ヘッドを覆う状態に、ワンタッチ操作で容易に切り換えることができる塗膜転写具を提供することを目的とする。
【０００８】
【課題を解決するための手段】
本発明によると、上記課題は次のようにして解決される。
（１）ケース本体の前端開口から転写ヘッドを突出させるとともに、ケース本体内に供給リールと巻取リールを設け、前記供給リールに巻回した転写テープを、前記転写ヘッドを経て前記巻取リールに巻き取るようにした塗膜転写具において、前記ケース本体の前端部に転写ヘッドを覆うことができる保護カバーを、この保護カバーが転写ヘッドを覆う状態の前進位置と、転写ヘッドを露出させる状態の後退位置との間で摺動自在となるように設け、かつこの保護カバーをばねによって前記前進位置方向に付勢するとともに、前記後退位置で保護カバーをケース本体に係止する係止手段および係止解除手段を備えるものとする。
【０００９】
（２）上記（１）項において、前記保護カバーを前記ケース本体の前端開口から内部に挿嵌させ、前記ばねとして、圧縮コイルばねを使用し、この圧縮コイルばねを、保護カバーの周壁外面とケース本体の周壁内面との間に介装させる。
【００１０】
（３）上記（１）又は（２）項において、前記係止手段を、前記保護カバーに形成した爪と、前記ケース本体の周壁内面に形成した段部とによって構成し、前記爪を前記段部に係合させることによって保護カバーをケース本体に係止させる。
【００１１】
（４）上記（３）項において、前記係止解除手段を、前記ケース本体の周壁にコ字状の切り込みを入れて形成し、この切り込みによって画成される押し込み片で、係止状態にある保護カバーの爪をケース本体の内方へ押し込んで、前記段部から離反させるようにする。
【００１２】
（５）上記（１）〜（４）項のいずれかにおいて、前記保護カバーの周壁外面に摘み部を形成し、この摘み部を摘んで、保護カバーをケース本体内に後退させるようにする。
【００１３】
（６）上記（５）において、前記摘み部を、前記保護カバーの周面に形成した環状突起によって構成する。
【００１４】
【発明の実施の形態】
以下、本発明の実施形態を、添付図面を参照して説明する。
本発明の塗膜転写具は、ケース本体（１）内に供給リール（２），巻取リール（３），転写ヘッド支持部材（４）およびヘッドカバー（５）を備え、さらにケース本体（１）に対して保護カバー（６）が摺動自在に設けられている。
【００１５】
ケース本体（１）は、合成樹脂によって筒状に形成されており、先端に開口（７）を有している。このケース本体（１）は、母線に沿って２分割され、一方のケース部材（１ａ）の内部に供給リール用支軸（８）と巻取リール用支軸（９）がケース本体（１）の長手方向に並んで立設され、さらに巻取リール用支軸（９）の前方に断面がほぼ馬蹄形をした転写ヘッド支持部材用取付け枠（１０）が立設されている。
【００１６】
ケース本体（１）の周壁内面には、その長手方向中間部であって前記転写ヘッド支持部材用取付け枠（１０）の前方位置に内径の小さな小径部（１１）が形成され、この小径部の前方に再び内径が大きな大径部（１２）が形成されている。前記小径部（１１）の周壁内面の相対向する部分には、ケース本体（１）の長手方向に向けて延びる前上部溝（１３）および後上部溝（１４）と下部溝（１５）とが形成されている。
【００１７】
前上部溝（１３）は、その前端が大径部（１２）に連続し、後端は小径部（１１）の中間に達し、前記後端に内向突起（１６）が形成されている。後上部溝（１４）は、小径部（１１）の後端から前上部溝（１３）の近傍まで達している。下部溝（１５）は、後上部溝（１４）と対向する位置に形成されている。
【００１８】
ケース本体（１）の周壁内面における後上部溝（１４）の前端には、コ字状の切り込み（１７）が施され、その切り込みによって、押し込み片（１８）が形成されている。
【００１９】
供給リール（２）は、図２に示すように、円筒状の軸（１９）の一端にギヤ（２０）を備えており、図３に示すように、軸（１９）をケース本体（１）の供給リール用支軸（８）に嵌合させることによって、ケース本体（１）に装着されている。
【００２０】
巻取リール（３）は、円筒状の軸（２１）の一端にギヤ（２２）を備えており、軸（２１）をケース本体（１）の巻取リール用支軸（９）に嵌合させることによって、ケース本体（１）に装着されている。
【００２１】
転写ヘッド支持部材（４）は、図２に示すように、合成樹脂によって形成された断面が矩形状を成す長尺な部材であり、前端にテーパ状の転写ヘッド（２３）を備え、後端に膨出部（２４）を備えている。この転写ヘッド支持部材（４）は、図３に示すように、膨出部（２４）を転写ヘッド支持部材用取付け枠（１０）に嵌挿させることによってケース本体（１）に保持されている。
【００２２】
ヘッドカバー（５）は、図２に示すように、合成樹脂で筒状に形成されており、周壁内面の相対向する位置に長手方向に延びる溝（２５）を有している。前記ヘッドカバー（５）は、図３に示すように、前記溝（２５）を転写ヘッド支持部材（４）の前端両側縁に嵌合させることによって、転写ヘッド支持部材（４）に係止されている。
【００２３】
保護カバー（６）は、合成樹脂によって筒状に形成されており、前端部外径がテーパ状に形成されたテーパ状部（２６）、中間部外径が大径に形成された大径部（２７）、後端部外径が小径に形成された小径部（２８）を有している。
前記保護カバー（６）の小径部（２８）後端には、相対向する部位に上部舌片（２９）と下部舌片（３０）が延設されており、これらの舌片（２９）（３０）の後端には、外方へ向けて突出する爪（３１）（３２）が、それぞれ形成されている。また、保護カバー（６）の大径部（２７）とテーパ部（２６）との境界には、外方に向けて突出する環状突起（３３）が形成されている。
【００２４】
これらの各部品を組付けして、塗膜転写具を形成するには、次のようにする。
図３に示すように、前記供給リール（２）における軸（１９）に、転写テープ（３４）を巻回したロール芯（３５）を嵌着させ、これから転写テープ（３４）を繰り出して、図４に示すように、転写テープ（３４）を転写ヘッド（２３）を経て巻取リール（３）における軸（２１）に巻き付けるとともに、転写ヘッド支持部材（４）にヘッドカバー（５）を取り付け、前記転写ヘッド支持部材（４）をケース本体（１）のケース部材（１ａ）に立設した転写ヘッド支持部材取付け枠（１０）に装着し、かつ供給リール（２）をケース本体（１）のケース部材（１ａ）に立設した供給リール用支軸（８）に装着し、巻取リール（３）をケース本体（１）のケース部材（１ａ）に立設した巻取リール用支軸（９）に装着する。
【００２５】
次いで、小径部（２８）の外周面に圧縮コイルばね（３６）を嵌装させた保護カバー（６）を、ヘッドカバー（５）に外嵌させるとともに、下部舌片（３０）の爪（３２）をケース部材（１ａ）の下部溝（１５）に位置させ、かつ上部舌片（２８）の爪（３１）をケース部材（１ａ）の前上部溝（１３）に位置させる。その後、カバー材としてのケース部材（１ｂ）を、ケース部材（１ａ）に端面同士を合致させて被せ、接着剤，ねじ等によってそれらを互いに結合して一体化させる。
【００２６】
このようにして得られた塗膜転写具は、図４に示すように、保護カバー（６）の小径部（２８）と大径部（２７）との境界に形成される段部（３７）と、ケース本体（１）の大径部（１２）と小径部（１１）との境界に形成される段部（３８）との間に収容された圧縮コイルばね（３６）によって、保護カバー（６）がケース本体（１）の開口（７）から前方へ突出するように付勢されているとともに、保護カバー（６）における下部舌片（３０）の爪（３２）がケース本体（１）の下部溝（１５）の前端壁（３９）に係合し、保護カバー（６）のケース本体（１）からの離脱が防止され、図５に示すような、保護カバー（６）の先端が転写ヘッド（２３）を覆う状態の前進位置に維持されている。
【００２７】
このような状態において、環状突起（３３）を摘んで、保護カバー（６）を圧縮コイルばね（３６）の付勢力に抗して本体ケース（１）内に押し込むと、保護カバー（６）における上部舌片（２９）の爪（３１）が、ケース本体（１）の前上部溝（１３）内を摺動し、この前上部溝（１３）の後端に設けられた内向突起（１６）を乗り越えて、図６に示すように、前記内向突起（１６）の後端壁（４０）に係合し、図７に示すように、保護カバー（６）が、転写ヘッド（２３）を露出させる状態の後退位置に保持される。
【００２８】
なお、上記実施の形態では、係止手段を、ケース本体（１）の前上部溝（１３）の後端壁（４０）と保護カバー（６）の爪（３１）とによって構成しているが、これに限定されることなく、例えば、保護カバー（６）を回動させることによって、保護カバー（６）に形成した突出部分をケース本体（１）に形成した凹部に係止させる手段を採用することもできる。この場合の係止手段は、係止解除手段を兼ねている。
【００２９】
【発明の効果】
本発明によると、次のような効果が奏せられる。
（１）  請求項１記載の発明によると、係止手段によって保護カバーを、転写ヘッドを露出させた状態の後退位置に確実に係止させることができるので、使用中に保護カバーが突出することがなく、安定して字消し作業を行なうことができる。一方、不使用時においては、ばねの付勢力によって保護カバーを転写ヘッドを覆う状態の前進位置に安定的に保持することができるため、転写テープを確実に保護し得るとともに、誤って他の箇所に塗膜が付着することを確実に防止することができる。
【００３０】
（２）  請求項２記載の発明によると、ばねとして圧縮コイルばねを用い、これを保護カバーの周壁外面とケース本体の周壁内面との間に介装させているため、ばねの位置安定性が良好であるとともに、ばねがケース内部に隠れるので外観が優れる。
【００３１】
（３）  請求項３記載の発明によると、係止手段を容易に形成することができるとともに、係止手段の操作も簡単に行うことができる。
【００３２】
（４）  請求項４記載の発明によると、保護カバーを、転写ヘッドを露出させた状態の後退位置から、転写ヘッドを覆う状態の前進位置に、押し込み片を押し込むというだけのワンタッチ操作で容易に切り換えることができる。
【００３３】
（５）  請求項５記載の発明によると、摘み部を操作して、保護カバーを容易にケース本体内に押し込むことができる。
【００３４】
（６）  請求項６記載の発明によると、操作し易い摘み部を簡単に形成することができる。
【図面の簡単な説明】
【図１】本発明の一実施形態の塗膜転写具を、転写ヘッドを露出させた状態で示す斜視図である。
【図２】図１に示した塗膜転写具の分解斜視図である。
【図３】図２に示した塗膜転写具のケース本体の一方のケース部材に部品を組付けた状態の一部断面斜視図であり、転写ヘッドを保護カバーで覆った状態を示す。
【図４】図３の塗膜転写具の一部断面正面図である。
【図５】図１に示す塗膜転写具において、転写ヘッドを保護カバーで覆った状態を示す斜視図である。
【図６】ケース本体の一方のケース部材に部品を組付けた状態の一部断面正面図であり、転写ヘッドを露出させた状態を示す。
【図７】図２に示した塗膜転写具のケース本体の一方のケース部材に部品を組付けた状態の一部断面斜視図であり、転写ヘッドが露出している状態を示す。
【符号の説明】
（１）ケース本体
（１ａ）（１ｂ）ケース部材
（２）供給リール
（３）巻取リール
（４）転写ヘッド支持部材
（５）ヘッドカバー
（６）保護カバー
（７）開口
（８）供給リール用支軸
（９）巻取リール用支軸
（１０）転写ヘッド支持部材用取付け枠
（１１）小径部
（１２）大径部
（１３）前部上部溝
（１４）後部上部溝
（１５）下部溝
（１６）内向突起
（１７）切り込み
（１８）押し込み片（係止解除手段）
（１９）軸
（２０）ギヤ
（２１）軸
（２２）ギヤ
（２３）転写ヘッド
（２４）膨出部
（２５）溝
（２６）テーパ状部
（２７）大径部
（２８）小径部
（２９）上部舌片
（３０）下部舌片
（３１）（３２）爪
（３３）環状突起（摩擦抵抗増大手段）
（３４）転写テープ
（３５）ロール芯
（３６）圧縮コイルばね
（３７）（３８）段部
（３９）前端壁
（４０）前端壁（係止手段）
【図１】
2004268322.tif 000003
【図２】
2004268322.tif 000004
【図３】
2004268322.tif 000005
【図４】
2004268322.tif 000006
【図５】
2004268322.tif 000007
【図６】
2004268322.tif 000008
【図７】
2004268322.tif 000009